(57)【要約】【課題】容器詰め飲料の内容物に所定の添加物を容易に添加し、各自の好みの味に調節することができるようにする。【解決手段】充填ミックス容器本体は、下部飲料等充填容器と上部添加物充填小容器からなる二種類の部材を組み合わせた容器である。下部ミックス用密閉容器に充填されたコーヒー等の液体に、容器上蓋外部に取り付けられた添加物充填用小容器からプラスチク板製可動部を引き起こす事により、中央の爪部分が下のアルミラミネート製上蓋を突き破り内容物を下部飲料に流し込んで下部飲料の味を好みの味に変えることができる。また、好みの味の状態を変化させないように注入口を閉じ、添加物の注入を阻止することもできる充填ミックス容器である。【選択図】　　図２
2004035073.tif 000002
【特許請求の範囲】
【請求項１】
本発明は、液状の飲料とこの飲料に混合される添加物が、双方たがいに区分されて充填されたミックス容器である。双方とも、内部に飲料・添加物が装填された状態で密封され、そしてその下部容器の飲料原液に上部の添加物を、添加物充填容器の可動部を上に引き上げる操作をする事により、下部容器のアルミラミネートフイルム製蓋部分の一部を突き破りその内容添加物を注入することができるものである。それによって、下部飲料物充填容器内の飲料物を好みの味に調整できる機能を持った充填ミックス容器。
【請求項２】
上記容器本体は、下部飲料等充填容器と上部添加物充填容器からなる。添加物注入容器は、硬質プラスチック薄板と軟質プラスチックフイルム（ポリプロピレンフイルム）で構成され、軟質プラスチックフイルム（ポリプロピレンフイルム）は袋状になった状態で硬質プラスチック薄板に接着されている。この添加物充填容器の硬質プラスチック薄板は板の中央部より二つに折れるように真中に切り込みがはいっており、その片側半分は下部容器の上蓋アルミラミネートフイルム部分に接着され、その反対側の板を上部に引き起こす事により、中央部の山形の切り込みが下方へ起き上がり下部のフイルムを突き破って、内容の添加物を注入することができる充填ミックス容器。
【請求項３】
上記容器の添加物注入部分は、付帯する添加物充填小容器の可動部分を元の位置に戻すことにより上蓋部分の開口部が閉まる構造となる為、余分な添加物が注入されることなく、下部飲料の味を好みの味に調整した状態を維持できる充填ミックス容器。
【発明の詳細な説明】
【０００１】
【発明の属する技術分野】
本発明は、飲料用の原液とこの飲料原液に混合されるミルク・シロップ等の添加物の双方が区分された状態で装填された充填ミックス容器で、添加物の注入量が調節可能な充填ミックス容器。
【０００２】
【従来の技術】
従来、コーヒー、紅茶、ジュース等の飲料は、シロップ等の添加物が添加された状態か、もしくはそのまま原液で飲料用に供されるものであり、何ら手を加えることなく直接飲用されてきた。
【０００３】
【発明が解決しようとする課題】
しかし、上記のような従来の飲料用容器では、充填された飲料は予めシロップやミルク等の添加物が混入されるか、もしくは全く添加されないような状態で味が調整されていた。また、容器中の飲料原液の味を新たに変化させるためには、ミルクやシロップ等の添加物用の小容器は別に用意され、お互いにその容器の蓋を開け注入・ミックスしなければならず、非常に煩わしいものであった。また、各自の味の好みは千差万別で、多くの人を予め調整された味の飲料や、また添加物を何も加えない状態の飲料原液の味に満足させるのは非常に難しかった。だが、本発明はこの様な問題点を解決しようとするもので、添加物充填用小容器内の液体添加物の注入量を調節し、下部飲料原液の味を各自の好みの味に変化させる機能を提供することを目的とするものである。
【０００４】
【課題を解決するための手段】
本発明は、二種類の飲料原液と、この飲料に混合される添加物が双方たがいに区分されて装填された充填ミックス容器である。双方とも、内部に飲料原液・添加物が装填された状態で密封されている。そして、その下部容器の飲料原液に上部の添加物を添加物充填容器の可動部を上に引き上げる操作をする事により、下部容器のアルミラミネートフイルム製上蓋部分の一部を突き破りその内容添加物を注入することができる。それによって、互いに双方の蓋を開けることなく注入・ミックスし、下部飲料物充填容器内の飲料原液を好みの味に調整できる機能を有する。
【０００５】
上記容器本体は、下部飲料等充填容器と上部添加物充填容器からなる。添加物注入容器は、硬質プラスチック薄板と軟質プラスチックフイルム（ポリプロピレンフイルム）で構成され、軟質プラスチックフイルム（ポリプロピレンフイルム）は袋状になった状態で硬質プラスチック薄板に接着されている。この添加物充填容器の硬質プラスチック薄板は、板の中央部より二つに折れるように真ん中に切り込みがはいっており、その片側半分を下部容器の上蓋アルミラミネートフイルム部分に接着され、その反対側の板を上部に引き起こす事により、中央部の山形の切り込みが下方へ起き上がり下部のフイルムを突き破って、内容の添加物を注入することができる充填ミックス容器である。
【０００６】
上記充填ミックス容器に付帯される添加物充填小容器の添加物注入部分は、可動部分を元の位置に戻すことにより、上蓋部分の開口部が閉まる構造となる為、余分な添加物が注入されることなく下部飲料の味を好みの味に調整した状態を維持できる機能を持つ。
【０００７】
【発明実施の形態】
以下、本発明の飲料時の使用の実施形態を図面にもとづき説明する。本発明は、図１、図７で示すように二種類の液体つまり飲料原液と、液体の添加物の双方を充填された状態で、Ｂ１で示す添加物充填容器を、Ｃ１の下部ミックス容器のアルミラミネート製上蓋、Ｋ１に接着した状態で行われる。図１、図２で示すように、まず味を変化させるための下部液体原液Ｄ１、Ｄ２に、上部に接着された添加物充填用小容器Ｂ１より、液体の添加物を、その小容器の片方の可動部の硬質プラスチック薄板製可動部分、Ｆ１を上に引き起こすことにより、下部容器のアルミラミネート製上蓋Ｋ１の部分を添加物充填用小容器のＦ１の中央の山形に鋭く切り込んだ爪が突き破り、内容の液体添加物を注入する事により実施される。さらに、その添加物充填用小容器Ｂ１内の添加物を図２で示すＦ１の部分が、小容器の袋状の軟質プラスチックフイルム（ポリプロピレンフイルム）部分、Ｅ１を強く圧迫することで強制的に添加物を注入することができるものである。
それにより、下部ミックス容器内の飲料原液は各自の好みの味に調整される。しかし、この様な作用を持つ容器は今までにも少し形態を変えた状態で存在していた。本発明においては、これに加えて内容の添加物の注入の過剰を防止するため、新たに注入口を塞ぐ機能も付け加えた。具体的には、その添加物充填用小容器の可動部分を元の位置まで戻すことにより、山形の爪で開けた開口部分（図３、Ｈ１の三角の山形の爪状に切込みが入った部分）が塞がり注入を阻止する事ができるものである。
【０００８】
図３、図４のＨ１、Ｈ２で示す三角の山形爪状の切り込み部分は、添加物充填用小容器のプラスチック薄板の可動部分と一体となった構造である。また、その可動部分は反対の接着部分とは中央部切り込み部分Ｊ１、Ｊ２で０．２ｍｍぐらいの厚さを残して繋がっている。さらに、可動部分の端を上方に引き上げる操作でテコの原理により三角の山形爪状の切込みが起き上がって、下部ミックス容器上蓋のアルミラミネートフイルムを突き破り内容の添加物を下部飲料原液に注入する注入口を作るものである。
【０００９】そして、図２、図３で示すようにその上部に接着されている袋状のＥ１、Ｅ２の軟質プラスチックフイルム（ポリプロピレンフイルム）も基底部が一緒に敗れ開口部を作ることになる。さらに、可動部分を引き起こし中央部分から二つに折り曲げていくことにより、この袋状の軟質プラスチックフイルム（ポリプロピレンフイルム）を圧迫し、内容の添加物を勢いよく下部ミックス容器に注入することが可能となるである。
【００１０】
また、図２で示すこの添加物充填用小容器の接着部Ｇ１の谷側切込み部分と山形爪状の切り込み部分の隙間はほとんどなくなり、その部分の可動部を元の位置まで戻すことにより、液体の添加物であっても漏れることができないように塞ぐことができる。それによって、下部ミックス容器中の飲料原液の添加物の濃度を好みの状態に保つことができるものである。
【００１１】
本発明の効果を実施するにあたり、添加物充填用小容器の添加物を下部ミックス容器に充填する場合は、下部ミックス容器上蓋のアルミラミネートフイルムの一部に図１、図２で示すようにストローを差し込むことで当該容器の内容物をスムーズに充填し、下部ミックス容器中の飲料原液の味を変化させることができるものである。
【００１２】
それから、本発明において下部ミックス容器のアルミラミネート製上蓋を破壊する添加物充填用小容器の爪部分は適当な強度が要求されるため、図３、図７、図９のＭ１、Ｍ２、Ｍ３で示されるように、その表側爪部分に補強用として細長い楕円の半球状のプラスチック製部材で、その部分の強度を補う工夫が施されている。これにより、その爪部分が十分な強度を保ち添加物充填用小容器の可動部分を引き起こしたときに、その爪部分が折れてその役目を果たすことができなくなる事を防いでくれる。
【００１３】
また、上記の補強用プラスチック部材の高さは、図３、図４、図９で示すＨ１、Ｈ２、Ｈ３の三角の山形の爪状切り込み部分の長さの三分の一程度の高さになるようにしなければならない。と言うのは、この添加物充填用小容器の可動部分を引き起こしたときに、その補強部材の頂点が切り込み部分の開口部に当たり、充分に容器中の添加物を注入できなくなる恐れがあるからである。
【００１４】
さらに、本発明は上記の実施形態に限定されるものではなく、以下の内容をも包含するものである。
【００１５】
図３、図４、図９で示すＨ１、Ｈ２、Ｈ３の三角の山形爪状の切り込みの機能は、五角形の山形の切り込みやＭ形の切り込みでも、その機能を十分に果たすことが可能で、その形状を限定するものではない。
【００１６】
そして、図１、図２、図７、図８で示すように本発明の下部ミックス容器内に充填された飲料原液Ｄ１，Ｄ２、Ｄ３、Ｄ４もコーヒー・紅茶・ジュースに限定されるものではなく、また図３で示すように添加物充填用小容器内の添加物Ｉも、シロップやミルクに限定されるものではない。例えば、液体の香辛料やスパイス等の添加物も含まれるものである。
【００１７】
本発明における下部ミックス容器の形状は円筒形の形に限定されるものではなく、また添加物充填用小容器の形状も立方体に限定されるものではない。つまり、添加物充填用小容器に関して言えば、中央部から折れ曲がる構造およびその折れ曲がった先端部分が、下部容器の蓋部分を突き破り、内容物を注入または注入の阻止ができるすべての形状の容器を含むものである。
【００１８】
上記充填ミックス容器の下部ミックス容器部分の材質は、プラスチック製に限定されるものではなく、紙パック（内部に防水用のラミネート加工されたもの）や金属製のものも含まれる。
【００１９】
また、図７、図８、図９で示されるＭ１、Ｍ２、Ｍ３の補強部材の形状は楕円の半球状に限定されるものではなく、ひし形の四角錘状の形状も含まれるものである。
【００２０】
【発明の効果】
上記のように構成された本発明の充填ミックス容器の操作によれば、液体等の添加物を双方の容器の蓋を開けることなく容易に下部ミックス容器内の飲料原液に注入し、しかも好みの味に調整した状態を維持していくことができる。
【図面の簡単な説明】
【図１】この図は、飲料原液と液体添加物装填した状態で双方を接着し飲用にストロー挿した充填ミックス容器の状態を示した上面の斜視図である。
【図２】この図は、上記容器の添加物充填用小容器を操作し、内容の添加物を注入する状態を示した上面の斜視図である。
【図３】この図は、添加物充填用小容器の形状を示した表面図である。
【図４】この図は、添加物充填用小容器の形状を示した裏面図である。
【図５】この図は、下部ミックス容器の上蓋面に添加物充填用小容器を接着した状態の上視図である。
【図６】この図は、充填ミックス容器の底面側からの上視図である。
【図７】この図は、充填ミックス容器の側面透視図である。
【図８】この図は、充填ミックス容器の側面透視図で、添加物を充填している状態である。
【図９】この図は、添加物充填用小容器の下部ミックス容器アルミラミネート製フイルム破壊用の爪部分の表側面を拡大した上視図である。
【符号の説明】
Ａ１、Ａ２　ストロー
Ｂ１、Ｂ２、Ｂ３、Ｂ４　ミルク、シロップ等の添加物充填用小容器
Ｃ１、Ｃ２、Ｃ３、Ｃ４、Ｃ５　下部ミックス容器
Ｄ１、Ｄ２、Ｄ３、Ｄ４　コーヒー、紅茶、ジュース等の飲料原液
Ｅ１、Ｅ２、Ｅ３　軟質プラスチックフイルム（ポリプロピレンフイルム）
Ｆ１、Ｆ２、Ｆ３　硬質プラスチック薄板製可動部分
Ｇ１、Ｇ２、Ｇ３　下部アルミラミネート製上蓋との接着部分
Ｈ１　下部アルミラミネート製上蓋フイルム破壊用の爪部分表
Ｈ２　下部アルミラミネート製上蓋フイルム破壊用の爪部分裏
Ｉ　シロップ、ミルク等の液体添加物
Ｊ１、Ｊ２　中央折り曲用部分のつなぎ目
Ｋ１、Ｋ２、Ｋ３、Ｋ４、Ｋ５　下部ミックス容器アルミラミネート製上蓋
Ｌ１、Ｌ２　プラスチック製可動板の引き起こし用折り曲げのつまみ部分
Ｍ１、Ｍ２、Ｍ３　下部ミックス容器のアルミラミネートフイルム破壊用爪部分の補強用プラスチック部材
【図１】
2004035073.tif 000003
【図２】
2004035073.tif 000004
【図３】
2004035073.tif 000005
【図４】
2004035073.tif 000006
【図５】
2004035073.tif 000007
【図６】
2004035073.tif 000008
【図７】
2004035073.tif 000009
【図８】
2004035073.tif 000010
【図９】
2004035073.tif 000011